(57)【特許請求の範囲】
【請求項１】
第１のイメージサイズを有する第１のカメラボディと、第１のイメージサイズと異なる第２のイメージサイズを有する第２のカメラボディに共通して使用可能な交換レンズであって、
当該交換レンズ内の撮影レンズの焦点距離を所定の焦点距離範囲内で可変させるためのズーム駆動手段と、
当該交換レンズが装着されたカメラボディからこのカメラボディのイメージサイズに係る情報を受信するための受信手段と、
当該交換レンズ内部のシーケンス制御を行う制御手段と、を有し、
上記制御手段は、上記受信手段で受信した上記イメージサイズに係る情報に応じて、当該交換レンズが装着されたカメラボディの撮影画像における画面周辺部の解像力が所定値以上となる焦点距離使用可能範囲を判別し、上記ズーム駆動手段の上記所定の焦点距離範囲を上記判別した焦点距離使用可能範囲に変更する、ことを特徴とする交換レンズ。
【請求項２】
第１のイメージサイズを有する第１のカメラボディと、第１のイメージサイズと異なる第２のイメージサイズを有する第２のカメラボディに共通して使用可能な交換レンズであって、
当該交換レンズ内の撮影レンズの焦点距離を所定の焦点距離範囲内で可変させるためのズーム駆動手段と、
当該交換レンズが装着されたカメラボディからこのカメラボディのイメージサイズに係る情報を受信するための受信手段と、
当該交換レンズ内部のシーケンス制御を行う制御手段と、を有し、
上記制御手段は、上記受信手段で受信した上記イメージサイズに係る情報に応じて、当該交換レンズが装着されたカメラボディの撮影画像における画面周辺部の解像力が所定値以上となる焦点距離使用可能範囲を判別し、現在の上記撮影レンズの焦点距離が上記焦点距離使用範囲外である場合には撮影が不能であると判定するとともに、上記撮影が不能であることを示すデータを当該交換レンズが装着されたカメラボディに送信する、ことを特徴とする交換レンズ。
【請求項３】
第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、
上記第１および第２のカメラボディは、各々自己のカメラボディのイメージサイズに係る情報を装着された上記交換レンズに対して送信する送信手段を有し、
上記交換レンズは、
当該交換レンズ内の撮影レンズの焦点距離を所定の焦点距離範囲内で可変させるためのズーム駆動手段と、
当該交換レンズが装着されたカメラボディからこのカメラボディのイメージサイズに係る情報を受信するための受信手段と、
当該交換レンズ内部のシーケンス制御を行う制御手段と、を有し、
上記制御手段は、上記受信手段で受信した上記イメージサイズに係る情報に応じて、当該交換レンズが装着されたカメラボディの撮影画像における画面周辺部の解像力が所定値以上となる焦点距離使用可能範囲を判別し、上記ズーム駆動手段の上記所定の焦点距離範囲を上記判別した焦点距離使用可能範囲に変更する、ことを特徴とするカメラシステム。
【請求項４】
第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、
上記第１および第２のカメラボディは、各々自己のカメラボディのイメージサイズに係る情報を装着された上記交換レンズに対して送信する送信手段を有し、
上記交換レンズは、
当該交換レンズ内の撮影レンズの焦点距離を所定の焦点距離範囲内で可変させるためのズーム駆動手段と、
当該交換レンズが装着されたカメラボディからこのカメラボディのイメージサイズに係る情報を受信するための受信手段と、
当該交換レンズ内部のシーケンス制御を行う制御手段と、を有し、
上記制御手段は、上記受信手段で受信した上記イメージサイズに係る情報に応じて、当該交換レンズが装着されたカメラボディの撮影画像における画面周辺部の解像力が所定値以上となる焦点距離使用範囲を判別し、現在の上記撮影レンズの焦点距離が上記焦点距離使用範囲外である場合には撮影が不能であると判定するとともに、上記撮影が不能であることを示すデータを当該交換レンズが装着されたカメラボディに送信する、ことを特徴とするカメラシステム。
【請求項５】
さらに、上記第１および上記第２のカメラボディは、上記制御手段から上記撮影が不能であることを示すデータを受けた場合に警告を行う警告手段を有する、ことを特徴とする請求項４に記載のカメラシステム。
【請求項６】
第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、
上記第１および第２のカメラボディは、
上記交換レンズからのデータを受信するボディ側受信手段と、
撮影が不能か否か判定する判定手段と、
を有し、
上記交換レンズは、
当該交換レンズ内の撮影レンズの焦点距離を所定の焦点距離範囲内で可変させるためのズーム駆動手段と、
当該交換レンズ内部のシーケンス制御を行うとともに、上記第１のカメラボディの上記第１のイメージサイズに応じた撮影画像における画面周辺部の解像力が所定値以上となる第１の焦点距離使用可能範囲と、上記第２のカメラボディの上記第２のイメージサイズに応じた撮影画像における画面周辺部の解像力が所定値以上となる第２の焦点距離使用可能範囲とを記憶している制御手段と、
上記第１および第２の焦点距離使用可能範囲と、上記ズーム駆動手段により設定された現在の上記撮影レンズの焦点距離とを上記第１または第２のカメラボディに送信する交換レンズ側送信手段と、
を有し、
上記判定手段は、上記第１の焦点距離使用可能範囲と上記第２の焦点距離使用可能範囲とのうちから自己のイメージサイズに応じた焦点距離使用可能範囲を選択するとともに、上記現在の上記撮影レンズの焦点距離が上記選択した焦点距離使用可能範囲外である場合に撮影が不能と判定する、ことを特徴とするカメラシステム。
【請求項７】
さらに、上記判定手段が、撮影が不能と判定した場合に警告を行う警告手段を有する、ことを特徴とする請求項６に記載のカメラシステム。
【発明の詳細な説明】
【０００１】
【発明の属する技術分野】
本発明は、少なくとも２種類以上のイメージサイズの異なるカメラボディと、当該カメラボディに共用可能な交換レンズに関する。
【０００２】
【従来の技術】
従来より、銀塩フィルムを使用したカメラボディと、ＣＣＤ（Charge  Coupled   Device）等の撮像素子を使用したカメラボディといった異なる記録媒体を使用する２種類のカメラボディと、両カメラボディに共通に使用できる交換レンズとを有するカメラシステムについて、種々の技術が開発されている。かかるカメラシステムについては、例えば「写真工業（１９９８年４月号Ｐ９７乃至Ｐ１００）」に関連技術が示されている。
【０００３】
ここで、上記両カメラボディに対して共通の交換レンズを使用する場合には、両カメラボディにおいて、著しい画角の差が無く、違和感無く使用できるようにするために、両者のイメージサイズ、即ち撮影画面の大きさを揃えることが望ましいとされている。一般に、銀塩フィルムのイメージサイズは、１３５フォーマットのロールフィルムを使用した場合、３６ｍｍ×２４ｍｍの大きさであり、ＩＸ２４０カートリッジフィルムを使用した場合でも、Ｈタイプの場合で、２７．４ｍｍ×１５．６ｍｍである。
【０００４】
従って、デジタルカメラボディにおいて同じ画角を得るためには、同じイメージサイズの撮像素子を使用する第１の手法、又は結像面の後方に縮小光学系を使用して、イメージサイズを縮小して、小さな撮像素子を使用する第２の手法等を採用する必要が生じる。
【０００５】
上記第２の手法は、小さなＣＣＤを使用できる利点を有する反面、縮小光学系にスペースを必要とするため、カメラは大型化し重量が重くなるといった欠点を有している。これに対して、上記第１の手法は、カメラの大きさや重量の点では、有利であるものの、大きなサイズの撮像素子を必要とし、コストアップをもたらすといった欠点を有する。
【０００６】
ところで、ＣＣＤ等の撮像素子は、半導体の製造工程により、第１にチップサイズが大きくなる程、単純に面積比から考えて、半導体ウェハからの取数が小さくなり、コストアップをもたらす。第２にチップサイズが大きくなる程、チップの歩留りが悪くなり、コストアップに繋がる。これは上記第１の問題の加速条件となる。第３に半導体ウェハは通常円形であり、撮像素子は通常素子は通常四角形であるので、チップサイズが大きくなる程、周辺部での無駄が大きくなり、コストアップに繋がる。これも上記第１の問題の加速条件となる。
【０００７】
以上より、現状の半導体製造技術を前提とした場合、両者のイメージサイズ、即ち撮影画面の大きさを揃えることに固執すべきではなく、むしろコストとのバランスを取り、撮像素子の大きさを銀塩フィルムより若干小さくして、画角の変動を許容する必要があると考えられる。
【０００８】
【発明が解決しようとする課題】
しかしながら、イメージサイズの大きさをカメラボディ間で変えた場合、これらのイメージサイズの異なるカメラボディに対して共通で使用できる交換レンズにおいて画一的な制御シーケンスを実行した場合、この交換レンズを装着するカメラボディのイメージサイズに適したな撮影を行うことが難しくなる。例えば、前述したように、撮像素子のイメージサイズが小さいために、撮影画角が小さくなってしまう。即ち、広角レンズを装着した場合において、標準レンズに近い使用感となり、広角レンズの特徴を活かした撮影が難しくなるといった問題を生じる。
【０００９】
本発明は、上記問題に鑑みてなされたもので、その目的とするところは、小さいイメージサイズのカメラボディに装着した場合であっても、大きなイメージサイズのカメラボディに装着した場合であっても、この交換レンズを装着するカメラボディのイメージサイズに適した撮影を行うことを可能にすることにある。例えばこの交換レンズを装着するカメラボディのイメージサイズに応じて、交換レンズの焦点距離可変範囲を変えることにより、このカメラボディに適した撮影を可能にすることにある。
【００１０】
【課題を解決するための手段】
上記目的を達成するために、本発明の第１の態様では、第１のイメージサイズを有する第１のカメラボディと、第１のイメージサイズと異なる第２のイメージサイズを有する第２のカメラボディに共通して使用可能な交換レンズであって、当該交換レンズ内の撮影レンズの焦点距離を所定の焦点距離範囲内で可変させるためのズーム駆動手段と、当該交換レンズが装着されたカメラボディからこのカメラボディのイメージサイズに係る情報を受信するための受信手段と、当該交換レンズ内部のシーケンス制御を行う制御手段と、を有し、上記制御手段は、上記受信手段で受信した上記イメージサイズに係る情報に応じて、当該交換レンズが装着されたカメラボディの撮影画像における画面周辺部の解像力が所定値以上となる焦点距離使用可能範囲を判別し、上記ズーム駆動手段の上記所定の焦点距離範囲を上記判別した焦点距離使用可能範囲に変更する、ことを特徴とする交換レンズが提供される。
本発明の第２の態様では、第１のイメージサイズを有する第１のカメラボディと、第１のイメージサイズを有する第１のカメラボディと、第１のイメージサイズと異なる第２のイメージサイズを有する第２のカメラボディに共通して使用可能な交換レンズであって、当該交換レンズ内の撮影レンズの焦点距離を所定の焦点距離範囲内で可変させるためのズーム駆動手段と、当該交換レンズが装着されたカメラボディからこのカメラボディのイメージサイズに係る情報を受信するための受信手段と、当該交換レンズ内部のシーケンス制御を行う制御手段と、を有し、上記制御手段は、上記受信手段で受信した上記イメージサイズに係る情報に応じて、当該交換レンズが装着されたカメラボディの撮影画像における画面周辺部の解像力が所定値以上となる焦点距離使用可能範囲を判別し、現在の上記撮影レンズの焦点距離が上記焦点距離使用範囲外である場合には撮影が不能であると判定するとともに、上記撮影が不能であることを示すデータを当該交換レンズが装着されたカメラボディに送信する、ことを特徴とする交換レンズが提供される。
本発明の第３の態様では、第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、上記第１および第２のカメラボディは、各々自己のカメラボディのイメージサイズに係る情報を装着された上記交換レンズに対して送信する送信手段を有し、
上記交換レンズは、当該交換レンズ内の撮影レンズの焦点距離を所定の焦点距離範囲内で可変させるためのズーム駆動手段と、当該交換レンズが装着されたカメラボディからこのカメラボディのイメージサイズに係る情報を受信するための受信手段と、当該交換レンズ内部のシーケンス制御を行う制御手段と、を有し、上記制御手段は、上記受信手段で受信した上記イメージサイズに係る情報に応じて、当該交換レンズが装着されたカメラボディの撮影画像における画面周辺部の解像力が所定値以上となる焦点距離使用可能範囲を判別し、上記ズーム駆動手段の上記所定の焦点距離範囲を上記判別した焦点距離使用可能範囲に変更する、ことを特徴とするカメラシステムが提供される。
本発明の第４の態様では、第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、上記第１および第２のカメラボディは、各々自己のカメラボディのイメージサイズに係る情報を装着された上記交換レンズに対して送信する送信手段を有し、上記交換レンズは、当該交換レンズ内の撮影レンズの焦点距離を所定の焦点距離範囲内で可変させるためのズーム駆動手段と、当該交換レンズが装着されたカメラボディからこのカメラボディのイメージサイズに係る情報を受信するための受信手段と、当該交換レンズ内部のシーケンス制御を行う制御手段と、を有し、上記制御手段は、上記受信手段で受信した上記イメージサイズに係る情報に応じて、当該交換レンズが装着されたカメラボディの撮影画像における画面周辺部の解像力が所定値以上となる焦点距離使用可能範囲を判別し、現在の上記撮影レンズの焦点距離が上記焦点距離使用範囲外である場合には撮影が不能であると判定するとともに、上記撮影が不能であることを示すデータを当該交換レンズが装着されたカメラボディに送信する、ことを特徴とするカメラシステムが提供される。
本発明の第５の態様では、第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、上記第１および第２のカメラボディは、上記交換レンズからのデータを受信するボディ側受信手段と、撮影が不能か否か判定する判定手段と、を有し、上記交換レンズは、当該交換レンズ内の撮影レンズの焦点距離を所定の焦点距離範囲内で可変させるためのズーム駆動手段と、当該交換レンズ内部のシーケンス制御を行うとともに、上記第１のカメラボディの上記第１のイメージサイズに応じた撮影画像における画面周辺部の解像力が所定値以上となる第１の焦点距離使用可能範囲と、上記第２のカメラボディの上記第２のイメージサイズに応じた撮影画像における画面周辺部の解像力が所定値以上となる第２の焦点距離使用可能範囲とを記憶している制御手段と、上記第１および第２の焦点距離使用可能範囲と、上記ズーム駆動手段により設定された現在の上記撮影レンズの焦点距離とを上記第１または第２のカメラボディに送信する交換レンズ側送信手段と、を有し、上記判定手段は、上記第１の焦点距離使用可能範囲と上記第２の焦点距離使用可能範囲とのうちから自己のイメージサイズに応じた焦点距離使用可能範囲を選択するとともに、上記現在の上記撮影レンズの焦点距離が上記選択した焦点距離使用可能範囲外である場合に撮影が不能と判定する、ことを特徴とするカメラシステムが提供される。
【００１７】
【発明の実施の形態】
以下、図面を参照して、本発明の実施の形態について説明する。
【００１８】
図１は本発明の第１の実施の形態に係るカメラの外観構成図である。
【００１９】
同図には、ＩＸ２４０カートリッジフィルムを使用するカメラボディ（以下、ＩＸ２４０ボディと称する）に、ズームレンズ１００が装着されている様子が示されている。かかるズームレンズ１００は、ＣＣＤ等の撮像素子を採用したデジタルカメラボディ（以下、デジタルボディと称する）にも装着可能である。尚、ズームレンズ１００には、ズーム操作の為のＴＥＬＥ  ＳＷ１０３及びＷＩＤＥＳＷ１０４が図示の如く側面所定位置に設けられている。
【００２０】
図２は本発明の第１の実施の形態に係るズームレンズ、カメラを採用したカメラシステムのブロック構成図である。
【００２１】
同図に示されるように、このカメラシステムは、ＩＸ２４０ボディ１又はデジタルボディ５０、ズームレンズ１００により構成される。
【００２２】
先ず、ＩＸ２４０ボディ１の内部構成を説明する。
【００２３】
図２に於いて、ＩＸ２４０ボディ１の内部にはマイクロコンピュータ等によるＦＣＰＵ２が設けられており、露出制御部６と通信自在に接続されている。この露出制御部６は、シャッタ等のボディ側の露出制御を行うものである。さらに、ＦＣＰＵ２には、レリーズ操作の第１ストロークでＯＮする１ＲＳＷ４，第２ストロークでＯＮする２ＲＳＷ５が電気的に接続されている。また、ＩＸ２４０ボディ１にはマウント接点３が設けられており、ズームレンズ１００のマウント接点との接続により、ＦＣＰＵ２とズームレンズ側との通信を可能とする。
【００２４】
このＩＸ２４０ボディ１は、ＩＸ２４０カートリッジフィルム７を記録媒体として使用する。そして、このＩＸ２４０カートリッジフィルム７のイメージサイズは、図示の如く、Ｈタイプにおいて２７．４ｍｍ×１５．６ｍｍであり、対角線の長さは、３１．５ｍｍである。
【００２５】
次に、デジタルボディ５０の内部構成を説明する。
【００２６】
図２に於いて、デジタルボディ５０内部には、全体の制御を司るマイクロコンピュータ等によるＤＣＰＵ５１が設けられており、このＤＣＰＵ５１は露出制御部６０、ＣＣＤドライバ５５、画像処理回路５７、画像記録回路５８と通信自在に接続されている。上記露出制御部６０は、シャッタ等のデジタルボディ５０側の露出制御を行うためのものである。上記ＣＣＤドライバ５５は、ＣＣＤ５６と接続され、当該ＣＣＤ５６を駆動制御する。このＣＣＤ５６の出力は画像処理回路５７に接続されており、当該画像処理回路５７にて上記ＣＣＤ５６で得られた画像データに対しＡ／Ｄ変換、色変換、データ圧縮等の処理が施される。
【００２７】
上記画像処理回路５７の出力は画像記録回路５８の入力に接続されており、当該画像記録回路５８では、上記各種処理が施された画像データを記録媒体５９に対して書き込む。この他、上記ＤＣＰＵ５１は、レリーズ操作の第１ストロークでＯＮする１ＲＳＷ５３，第２ストロークでＯＮする２ＲＳＷ５４が電気的に接続されている。尚、上記ＣＣＤ５６ののイメージサイズは、図示の如く１７ｍｍ×１２ｍｍであり、対角線の長さは、２０．８ｍｍの長さである。上記ＩＸ２４０ボディ１の場合のイメージサイズの対角線の長さは、３１．５ｍｍであったので、デジタルボディ５０の場合、撮影画角は約６６％ほどに狭くなる。
【００２８】
次に、ズームレンズ１００の内部構成を説明する。
【００２９】
図２に於いて、ズームレンズ１００の内部には、全体の制御を司るマイクロコンピュータ等によるＬＣＰＵ１０１が設けられている。このＬＣＰＵ１０１の出力はズーム駆動回路１０６を介してズームモータ１０５の入力に接続されている。このズームモータ１０５は、ズーミング機構を駆動するためのものであり、ズーム駆動回路１０６により駆動制御される。ズーミング機構のズーム状態（焦点距離に対応）はズームエンコーダ１０７により検出され、その検出結果は上記ＬＣＰＵ１０１にフィードバックされる。
【００３０】
上記ＬＣＰＵ１０１の出力は、ステッピングモータ駆動回路１１３を介してステッピングモータ１１２に接続されている。このステッピングモータ１１２は、絞り機構１１１を駆動するためのものであり、ステッピングモータ駆動回路１１３により駆動制御される。さらに、上記ＬＣＰＵ１０１の出力はＬＤモータ駆動回路１０９を介してＬＤモータ１０８の入力に接続されている。このＬＤモータ１０８はレンズのピント合せ機構の駆動を行うものであり、ＬＤモータ駆動回路１０９により駆動制御される。このＬＤモータ１０８の駆動量はＬＤエンコーダ１１０により検出され、ＬＣＰＵ１０１にフィードバックされる。
【００３１】
この他、ＬＣＰＵ１０１は、マウント接点１０２を介して上記ＩＸ２４０ボディ１又はデジタルボディ５０と通信自在となっている。また、ＬＣＰＵ１０１は、ＴＥＬＥ側にズーミングするためのＴＥＬＥ  ＳＷ１０３、ＷＩＤＥ側にズーミングするためのＷＩＤＥ  ＳＷ１０４と電気的に接続されている。
【００３２】
ここで、図３を参照して、ＩＸ２４０ボディ１とデジタルボディ５０を装着した場合のズームレンズ１００のズーム領域の相違について説明する。
【００３３】
本発明のズームレンズは、ＩＸ２４０ボディ１に装着した場合と、デジタルボディ５０に装着した場合で、異なる焦点距離可変範囲（以下、ズーム範囲と称する）を有する。図３は、横軸にズームレンズの焦点距離をとり、縦軸に画面周辺部における解像本数をとっている。解像本数は、指定されたテストチャートを指定された撮影倍率で撮影した場合、結像面上で、どの程度の間隔のラインが解像できるかを示すものである。通常、本数／ｍｍで示す。縦軸のＲＰＴＨは、許容できる画面周辺部での解像本数を示している。
【００３４】
図３の縦軸は画面周辺部の解像本数を表すが、（本数／ｍｍ）の絶対値を表すものではなく、ＲＰＴＨに対する相対値として表している。
【００３５】
ここで、ＩＸ２４０ボディ１の場合、イメージサイズの対角線長さ（以下、ＩＳと称する）がＩＳ＝３１．５ｍｍであり、画面周辺部における解像本数は、レンズの焦点距離が３５ｍｍ〜１０５ｍｍの間でＲＰＴＨを上回る。従って、３５ｍｍ〜１０５ｍｍのズーム範囲が使用可能な範囲である。
【００３６】
また、デジタルボディ５０の場合、ＩＳ＝２０．８ｍｍと小さいため、ＩＸ２４０ボディ１に比べて画面周辺部における解像の劣化が小さい。画面周辺部では、収差が多くなり画質（解像本数）が劣化するが、その度合いは画面中心からの距離に応じて大きくなる。この為、デジタルボディ５０の場合、ズーム範囲が２８ｍｍ〜１２０ｍｍの範囲が使用可能な範囲となる。
【００３７】
以下、図４のフローチャートを参照して、ズームレンズ１００のＬＣＰＵ１０１の動作シーケンスを説明する。
【００３８】
ズームレンズ１００内のＬＣＰＵ１０１は、ボディ内のＦＣＰＵ２又はＤＣＰＵ５１からの通信要求により、ボディ内のＦＣＰＵ２又はＤＣＰＵ５１と、コマンド及びデータの送受信を行い、受信したコマンドデータ及び制御データに従って以下に詳述するような所定の動作を実行することになる。
【００３９】
即ち、ボディからの通信要求を受けると（ステップＳ１）、当該ボディとの通信（ボディ通信）を実行する（ステップＳ２）。このボディ通信によって得られたコマンドデータの種類を判定し、コマンドデータが「イメージサイズ・データ書込み」で有る場合にはステップＳ４に移行する（ステップＳ３）。
【００４０】
そして、上記ステップＳ２にて、コマンドデータと共に制御データとしてボディのイメージサイズ・データ（ＩＳ）が送られており、イメージサイズデータがＩＳ≧２３ｍｍの場合には、ズーム範囲を３５ｍｍ〜１０５ｍｍに設定し（ステップＳ４，Ｓ５）、ＩＳ＜２３ｍｍの場合には、ズーム範囲を２８ｍｍ〜１２０ｍｍに設定する（ステップＳ４，Ｓ６）。
【００４１】
上記ステップＳ２のボディ通信によって得られたコマンドデータが、「ズームイネーブル」の場合には、サブルーチン「ズームイネーブル」を実行する（ステップＳ７，Ｓ８）。このサブルーチン「ズームイネーブル」のシーケンスについては、図５を参照して後に詳述する。
【００４２】
上記ステップＳ２のボディ通信によって得られたコマンドデータが、「ＡＶ絞り込み」の場合には、「ＡＶ絞り込み」を行う（ステップＳ９、Ｓ１０）。この「ＡＶ絞り込み」では、ステッピングモータ駆動回路１１３の制御の下、ステッピングモータ１１２を駆動させて絞り機構１１１の絞り込みを行う。上記ステップＳ２のボディ通信において、コマンドデータに引続き、制御データとして、開放からの絞り込み段数に相当するデータを受信しているので、当該データに従って絞り込みを行う。上記動作の終了後、ボディと通信を行い、ＡＶ絞り込み終了を示すコマンドデータをボディ側に送信する（ステップＳ１１）。
【００４３】
上記ステップＳ２のボディ通信によって得られたコマンドデータが、「ＡＶ開放」の場合には、「ＡＶ開放」を行う（ステップＳ１２，Ｓ１３）。この「ＡＶ開放」は、現在の絞り込み状態に関わらず絞りを全開状態まで開く動作であり、ステッピングモータ駆動回路１１３の制御の下、ステッピングモータ１１２を動作させて絞り機構１１１の開放動作を行い、全開状態まで開くことになる。この「ＡＶ開放」の終了後は、ボディと通信を行い、ＡＶ開放終了を示すコマンドデータをボディに送信する（ステップＳ１４）。
【００４４】
上記ステップＳ２のボディ通信によって得られたコマンドデータが、「ＬＤ駆動」である場合には、「ＬＤ駆動」を行う（ステップＳ１５，Ｓ１６）。この「ＬＤ駆動」では、ＬＤモータ駆動回路１０９の制御の下、ＬＤモータ１０８を駆動させる。このとき、上記コマンドデータと共に通信される制御データ１，２からなる２バイトのデータで、ＬＤ駆動の駆動方向及びＬＤ駆動量が指定される。この「ＬＤ駆動」の終了後は、ボディ通信を行い、ＬＤ駆動終了を示すコマンドデータをボディに送信する（ステップＳ１７）。
【００４５】
上記ステップＳ２のボディ通信によって得られたコマンドデータが、「焦点距離読込み」である場合には、ズームエンコーダ１０７からの出力信号より、ズームエンコーダ値の読込みを行う（ステップＳ１８，Ｓ１９）。そして、この読取ったズームエンコーダ値よりレンズの焦点距離を演算して求め（ステップＳ２０）、ボディと通信を行い、焦点距離データを送信する（ステップＳ２１）。
【００４６】
上記ステップＳ２のボディ通信によって得られたコマンドデータが、「レンズ装着検出」である場合には、ボディと通信を行って、レンズのＩＤ番号（種類識別番号）をボディに送信する（ステップＳ２２，Ｓ２３）。そして、ボディと通信を行って、レンズのパラメータをボディに通信する。レンズのパラメータは、開放絞り値、絞込み段数等のパラメータである（ステップｓ２４）。
【００４７】
上記ステップＳ５，Ｓ６，Ｓ１１，Ｓ１４，Ｓ１７，Ｓ２１，Ｓ２４の終了後及びステップＳ２２の判断がＮｏの場合にはステップＳ１に戻る。
【００４８】
次に図５のフローチャートを参照して、図４のステップＳ８にて実行されるサブルーチン「ズームイネーブル」の詳細なシーケンスを説明する。
【００４９】
本サブルーチン「ズームイネーブル」に入ると、先ずＴＥＬＥ  ＳＷ１０３の状態をモニタし（ステップＳ５０）、当該ＴＥＬＥ  ＳＷ１０３がＯＮならばズームモータ１０５，ズーム駆動回路１０６を動作させて、ＴＥＬＥ駆動（ＴＥＬＥ側へズーミング）を開始する（ステップＳ５１）。
【００５０】
続いて、ズームエンコーダ１０７からの出力信号に従って、ズーミング機構がズーム範囲のＴＥＬＥ限界値に達しているか否かを判断する（ステップＳ５２）。ここで、ＴＥＬＥ限界値に達している時には、ズームモータ１０５に対してショートブレーキ（ズームモータ短絡）をかけて（ステップＳ５３）、ズームモータ１０５をＯＦＦ（不動作）状態にして（ステップＳ５４）、ＴＥＬＥ  ＳＷ１０３の状態をモニタし、ＴＥＬＥ  ＳＷがＯＦＦ状態になるまで待機し、ＯＦＦ状態になったならばステップＳ６８に移行する（ステップＳ５５）。
【００５１】
これに対して、上記ステップＳ５２にて、ズーミング機構がズーム範囲のＴＥＬＥ限界値に達していない時は、ＬＣＰＵ１０１は、ＴＥＬＥ  ＳＷ１０３の状態を確認し（ステップＳ５６）、当該ＴＥＬＥ  ＳＷ１０３がＯＮならば上記ステップＳ５２に戻り、ＴＥＬＥ  ＳＷ１０３がＯＦＦならば、ズームモータ１０５に対してショートブレーキ（ズームモータ短絡）をかけて（ステップＳ５７）、ズームモータ１０５をＯＦＦ（不動作）状態にした後（ステップＳ５８）、ステップＳ６８に移行する。
【００５２】
一方、上記ステップＳ５０において、ＴＥＬＥ  ＳＷ１０３がＯＦＦの場合には、ＷＩＤＥ  ＳＷ１０４のモニタを行い（ステップＳ５９）、当該ＷＩＤＥ  ＳＷ１０４がＯＮならばズームモータ１０５，ズーム駆動回路１０６を動作させて、ＷＩＤＥ駆動（ＷＩＤＥ側へズーミング）を開始する（ステップＳ６０）。続いて、ズーミング機構がズーム範囲のワイド限界値に達している時は（ステップＳ６１）、ズームモータ１０５に対してショートブレーキ（ズームモータ短絡）をかけて（ステップＳ６２）、ズームモータ１０５をＯＦＦ（不動作）状態にし（ステップＳ６３）、ＷＩＤＥ  ＳＷ１０４の状態をモニタし、ＷＩＤＥ  ＳＷ１０４がＯＦＦ状態になるまで待機し、当該ＷＩＤＥ  ＳＷ１０４がＯＦＦ状態になったならば、ステップＳ６８に移行する（ステップＳ６４）。
【００５３】
これに対して、上記ステップＳ６１において、ズーミング機構がズーム範囲のワイド限界値に達していない時は、ＷＩＤＥ  ＳＷ１０４がＯＮならば上記ステップＳ６１に戻り、ＷＩＤＥ  ＳＷ１０４がＯＦＦならば、ズームモータ１０５に対してショートブレーキ（ズームモータ短絡）をかけ（ステップＳ６６）、ズームモータ１０５をＯＦＦ（不動作）状態にし、ステップＳ６８に移行する（ステップＳ６７）。ステップＳ６８においては、ボディ内のＣＰＵより、通信要求があれば、前述した図４のステップＳ２に戻り、通信要求がなければ図５のステップＳ５０に戻ることになる。
【００５４】
次に、図６のフローチャートを参照して、カメラボディ側のシーケンスを詳細に説明する。
【００５５】
不図示の電源ＳＷがＯＮされると、ズームレンズ１００との通信を実行し、ズームレンズ１００の装着検出を行う（ステップＳ１００）。このとき、ズームレンズ１００より当該ズームレンズ１００のＩＤ番号及びレンズパラメータを受信する。この通信が成功した場合は、ズームレンズ１００が装着されているものと判断してステップＳ１０２に移行し、上記通信に失敗した場合にはズームレンズ１００が装着されていないものと判断してステップＳ１００に戻る。
【００５６】
次いで、ステップＳ１０２では、ズームレンズ１００との通信を行い、ボディ側からボディに対応したイメージサイズデータ（ＩＳ）を送信する。すなわち、ボディがＩＸ２４０ボディ１の場合はＩＳ＝３１．５ｍｍ、デジタルボディ５０の場合はＩＳ＝２０．８ｍｍを送信する。
【００５７】
続いて、１ＲＳＷ４又は５３の状態を検出し、当該１ＲＳＷ４又は５３がＯＮならば、ステップＳ１０６に移行し、１ＲＳＷ４又は５３がＯＮでないならば、ステップＳ１０４に移行してレンズ通信を行い、レンズの装着検出を行う（ステップＳ１０５）。このステップＳ１０５において、レンズ装着有りの場合には上記ステップＳ１０３に戻り、レンズ装着無しの場合には上記ステップＳ１００に戻ることになる。
【００５８】
次いで、ズームレンズ１００と通信を行い、当該ズームレンズ１００より焦点距離の読込みを行う（ステップＳ１０６）。そして、不図示の測光素子を使用して測光を行い、その測光結果より露出演算を行う（ステップＳ１０７）。さらに、不図示の測距素子を使用して測距を行い、その測距結果よりレンズの駆動量の演算を行う（ステップＳ１０８）。
【００５９】
続いて、ズームレンズ１００との通信を行い、上記で求めたレンズの駆動量に従って、ＬＤ駆動を行う（ステップＳ１０９）。そして、２ＲＳＷ５又は５４をモニタし、２ＲＳＷ５又は５４がＯＮならばステップＳ１１２に移行し、２ＲＳＷ５又は５４がＯＮでないならば、ステップＳ１１１において、１ＲＳＷ４又は５３をモニタし、当該１ＲＳＷ４又は５３がＯＮならばステップＳ１１０に戻り、ＯＦＦならばステップＳ１０３に戻る。
【００６０】
続いて、ステップＳ１１２では、レンズ通信を行い「ＡＶ絞込み」を行う。そして、露出を行う（ステップＳ１１３）。この露出は、ＩＸ２４０ボディ１の場合には、露出制御部６を使用して、フィルム上に露出を行い、デジタルボディ５０の場合には、露出制御部６０を使用して、ＣＣＤ撮像素子より画像データを得るものである。
【００６１】
次いで、レンズ通信を行い、「ＡＶ開放」を行う（ステップＳ１１４）。そして、露出制御部６又は６０の中のシャッタにおいて、動作後のチャージを行う（ステップＳ１１５）。シャッタはバネ力によって動作するフォーカル・プレーン・シャッタであり、動作後にバネをチャージする必要がある。
【００６２】
続いて、撮像媒体がフィルムの場合、すなわちＩＸ２４０ボディ１の場合には、フィルムの巻上げを行った後に上記ステップＳ１０３に戻る（ステップＳ１１６，Ｓ１１７）。これに対して、撮像媒体が撮像素子の場合、即ちデジタルボディ５０の場合には、画像処理回路５７を使用して、画像データ処理を行い、画像記録回路５８を使用して、記録媒体５９上に画像データを記録して上記ステップＳ１０３に戻る（ステップＳ１１６，Ｓ１１８，Ｓ１１９）。
【００６３】
次に、本発明の第２の実施の形態について説明する。
【００６４】
図８は、本発明の第２の実施の形態に係るズームレンズ、カメラを採用したカメラシステムのブロック構成図である。ここでは、先に説明した図２と同様の構成要素については同一符号を付して説明を省略する。
【００６５】
このカメラシステムは、ＩＸ２４０ボディ１、デジタルボディ５０、ズームレンズ１００より構成されている。図２の構成との相違点のみを説明すると、ＩＸ２４０ボディ１内に、表示部９と表示ドライバ８が設けられている。この表示部９は警告表示などの表示を行うものであり、表示ドライバ８により駆動制御されるものである。同様に、デジタルボディ５０内にも表示ドライバ６１、表示部６２が設けられている。一方、ズームレンズ１００には、ズーム操作を行うためのズーム管１４が設けられている。このズーム環１１４の形態は、図７に示される通りである。これは、撮影者がマニュアル操作により、ズーミングを行うための操作部材である。上記ズーム環１１４の駆動に連動して、ズーミング機構１１５が駆動するような構成となっている。
【００６６】
以下、図９のフローチャートを参照して、第２の実施の形態のズームレンズ１００内のＬＣＰＵ１０１のレンズ・シーケンスを説明する。
【００６７】
尚、先に示した図４と同一のステップ番号を付したものは同一動作を行う。
【００６８】
ボディからの通信要求を受けると（ステップＳ１）、当該ボディとの通信（ボディ通信）を実行する（ステップＳ２）。このボディ通信によって得られたコマンドデータの種類を判定し、コマンドデータが「イメージサイズ・データ書込み」で有る場合にはステップＳ１５１に移行する（ステップＳ１５０）。このステップＳ１５１では、ボディ通信にて、コマンドデータに続いて、制御データとして、ボディのイメージサイズ・データ（ＩＳ）が送られているので、このＩＳデータを、ＬＣＰＵ１０１内部のメモリに記憶する。
【００６９】
上記ステップＳ２のボディ通信によって得られたコマンドデータが「焦点距離読込み」の場合には（ステップＳ１５２）、ズームエンコーダ１０７からの出力信号より、ズームエンコーダ値の読込みを行い（ステップＳ１５３）、上記において読取ったズームエンコーダ値よりレンズの焦点距離を演算して求める（ステップＳ１５４）。そして、ＬＣＰＵ１０１内部のメモリに記憶されたイメージサイズ・データがＩＳ＜２３ｍｍの時はステップＳ１５７に移行し、ＩＳ≧２３ｍｍの時はステップＳ１５６に進む（ステップＳ１５５）。
【００７０】
ステップＳ１５６に移行するのは、ＩＳが２３ｍｍより大きい時であるが、画面周辺部の解像特性が保証されるズーム範囲は３５ｍｍ〜１０５ｍｍであるので、３５ｍｍ≦焦点距離≦１０５ｍｍのときは撮影（レリーズ）可能であるとしてステップＳ１５７に進む。一方、焦点距離＜３５ｍｍ又は焦点距離＞１０５ｍｍのときは画面周辺部の解像特性が保証されないので、ステップＳ１５８においてボディ通信を行い、ボディに対して「レリーズ不可」のコマンド・データを送信する。撮影可能なズーム範囲であるときは、ボディに対して焦点距離データを送信する（ステップＳ１５７）。その他の処理（ステップＳ９乃至Ｓ２４）は、図４と同一であるので、説明を省略する。
【００７１】
次に、図１０のフローチャートを参照して、第２の実施の形態におけるボディ側のシーケンスを詳細に説明する。
【００７２】
尚、先に説明した第１の実施の形態に係る図６と同一処理を行うステップには、同一ステップ番号を付して説明を省略する。
【００７３】
ステップＳ２００，Ｓ２０１では、ズームレンズ１００との通信を実行し、ズームレンズ１００の装着検出を行う。このとき、ズームレンズ１００より当該ズームレンズ１００のＩＤ番号及びレンズパラメータを受信する。この通信が成功した場合は、ズームレンズ１００が装着されているものと判断してステップＳ１０３に移行し、上記通信に失敗した場合にはズームレンズ１００が装着されていないものと判断してステップＳ１００に戻る。
【００７４】
ステップＳ１０６において、レンズより焦点距離データを受信した場合には、レリーズ可能な状態であるものとしてステップＳ２０１に進み、レンズより「レリーズ不可」のコマンド・データを受信した場合には、レリーズ不可であるので、ステップＳ２０２に進み、表示部９又は６２において、レリーズ不可であることを示す警告表示を行い、上記ステップＳ１０３に戻る。このように、レリーズ不可である場合に所定の警告表示を行うので、誤動作を防止できる。
【００７５】
次に、本発明の第３の実施の形態について説明する。
【００７６】
尚、第３の実施の形態を構成するＩＸ２４０ボディ１、デジタルボディ５０、ズームレンズ１００の電気回路構成は、先に示した第２の実施の形態（図８）と同様であるので、以下の説明では、同一構成要素については同一符号を用いることとし、構成の詳細に係る重複説明は省略する。
【００７７】
以下、図１１のフローチャートを参照して、第３の実施の形態のズームレンズ１００内のＬＣＰＵ１０１の実行するレンズ・シーケンスについて説明する。
【００７８】
尚、図１１において、先に示した図４と同一処理を行うステップについては同一のステップ番号を付し、詳細な説明は省略する。
【００７９】
図１１において、ステップＳ１，Ｓ２と図４と同様の処理を行った後、ボディ通信によって得られたコマンドデータが「レンズ装着検出」の場合にはステップＳ２５１に進む（ステップＳ２５０）。以降の処理が特徴となる。
【００８０】
即ち、この実施の形態では、レンズ装着を検出すると、先ずボディと通信を行い、ボディに対してレンズＩＤ番号を送信し（ステップＳ２５１）、ボディと通信を行い、ボディに対してズーム範囲１（ＩＳ＜２３ｍｍの時のズーム可能なズーム範囲）を送信し（ステップＳ２５２）、ボディと通信を行い、ボディに対してズーム範囲２（ＩＳ＝２３ｍｍの時のズーム可能なズーム範囲）を送信し（ステップＳ２５３）、ボディと通信を行い、ボディに対してレンズのパラメータをボディに通信する。レンズのパラメータは、開放絞り値、絞込み段数等のパラメータである（ステップＳ２５４）。
【００８１】
次に図１２を参照して、カメラボディ側のシーケンスを説明する。
【００８２】
尚、図１２において、先に示した図６と同一処理を行うステップについては同一のステップ番号を付し、詳細な説明は省略する。
【００８３】
不図示の電源ＳＷがＯＮされると、先ずレンズ通信を行い、ズームレンズ１００の装着検出を行う。ここでは、ズームレンズ１００より、当該ズームレンズ１００のＩＤ番号、ズーム範囲１、ズーム範囲２、及びレンズパラメータ情報を受信する（ステップＳ３００）。尚、図中のステップＳ３０１では、上記ステップＳ３０１と同様の処理を実行する。
【００８４】
ステップＳ３０２では、ボディのイメージサイズにより、ＩＳ＜２３ｍｍの時にはステップＳ１０７に進み、ＩＳ≧２３ｍｍの時にはステップＳ３０３に進むことになる。このステップＳ３０３では、ステップＳ１０６にてズームレンズ１００より受信した、ズームレンズ１００の焦点距離がズーム範囲２の範囲内に入っている時には、画面周辺部の解像特性は保証されるので、レリーズ可能であるとしてステップＳ１０７に進む。また、焦点距離がズーム範囲２の範囲内に入っていない場合には、画面周辺部の解像特性は保証されないので、レリーズ不可と判断して、ステップＳ３０４に進む。このステップＳ３０４では、表示部９又は６２において、レリーズ不可であることを示す警告表示を行った後、ステップＳ１０３に戻ることになる。
【００８５】
尚、本発明の上記実施の形態には、以下の発明が含まれる。
【００８６】
即ち、少なくとも２種類以上のイメージサイズの異なるカメラボディと、上記イメージ・サイズの異なるカメラボディに装着可能で、共通に使用できるズームレンズとを有し、上記ズームレンズは、更に、上記カメラボディと通信を行い、当該カメラボディに固有のデータを受信する通信手段と、上記通信手段によって得られた、カメラボディに対応したデータに応じて、ズーム範囲を決定するためのズーム範囲決定手段と、上記ズーム範囲決定手段によって決定されたズーム範囲の範囲内において、ズーム駆動を行うズーム駆動手段とを具備することを特徴とするカメラシステムが提供される。
【００８７】
【発明の効果】
以上詳述したように、本発明によれば、小さいイメージサイズのカメラボディに装着した場合であっても、大きなイメージサイズのカメラボディに装着した場合であっても、この交換レンズを装着するカメラボディのイメージサイズに適した撮影を行うことが可能になる。例えばこの交換レンズを装着するカメラボディのイメージサイズに応じて、交換レンズの焦点距離可変範囲を変えることにより、このカメラボディに適した撮影を可能にすることができる。
【図面の簡単な説明】
【図１】本発明の第１の実施の形態に係るカメラの外観構成図である。
【図２】図２は本発明の第１の実施の形態に係るズームレンズ、カメラを採用したカメラシステムのブロック構成図である。
【図３】ＩＸ２４０ボディ１とデジタルボディ５０を装着した場合のズームレンズ１００のズーム領域の相違について説明するための図である。
【図４】第１の実施の形態のズームレンズ１００のＬＣＰＵ１０１の動作シーケンスを示すフローチャートである。
【図５】図４のステップＳ８にて実行されるサブルーチン「ズームイネーブル」の詳細なシーケンスを示すフローチャートである。
【図６】第１の実施の形態のカメラボディ側のシーケンスを示すフローチャートである。
【図７】本発明の第２の実施の形態の外観構成図である。
【図８】本発明の第２の実施の形態に係るズームレンズ、カメラを採用したカメラシステムのブロック構成図である。
【図９】第２の実施の形態のズームレンズ１００内のＬＣＰＵ１０１のレンズ・シーケンスを示すフローチャートである。
【図１０】第２の実施の形態におけるボディ側のシーケンスを詳細に示すフローチャートである。
【図１１】第３の実施の形態のズームレンズ１００内のＬＣＰＵ１０１の実行するレンズ・シーケンスを示すフローチャートである。
【図１２】第３の実施の形態のカメラボディ側のシーケンスを示すフローチャートである。
【符号の説明】
１  カメラボディ
２  ＦＣＰＵ
３
４  １ＲＳＷ
５  ２ＲＳＷ
６  露出制御部
７  フィルム
５０  カメラボディ
５１  ＤＣＰＵ
５２
５３  １ＲＳＷ
５４  ２ＲＳＷ
５５  ＣＣＤドライバ
５６  ＣＣＤ
５７  画像処理回路
５８  画像記録回路
５９  記録媒体
６０  露出制御部
１００  ズームレンズ
１０１  ＬＣＰＵ
１０２
１０３  ＴＥＬＥ  ＳＷ
１０４  ＷＩＤＥ  ＳＷ
１０５  ズームモータ
１０６  ズーム駆動回路
１０７  ズームエンコーダ
１０８  ＬＤモータ
１０９  ＬＤモータ駆動回路
１１０  ＬＤエンコーダ
１１１  絞り機構
１１２  ステッピングモータ
１１３  ステッピングモータ駆動回路
【図１】
0004253384.tif 000002
【図２】
0004253384.tif 000003
【図３】
0004253384.tif 000004
【図４】
0004253384.tif 000005
【図５】
0004253384.tif 000006
【図６】
0004253384.tif 000007
【図７】
0004253384.tif 000008
【図８】
0004253384.tif 000009
【図９】
0004253384.tif 000010
【図１０】
0004253384.tif 000011
【図１１】
0004253384.tif 000012
【図１２】
0004253384.tif 000013